(57)【特許請求の範囲】
【請求項１】
座受部材に対して傾動可能に支持された背支桿を備えた椅子において、前記座受部材に形成されると共に前記背支桿の回転軸を着脱可能な背支桿収容部と、前記回転軸を前記背支桿収容部に収容したまま保持するカバーとを備え、前記背支桿は椅子に組み付ける前に枠状に一体化されたものであり且つ前記回転軸を枠の一部として成るものであり、前記背支桿収容部は上方に開口する縦溝からなることを特徴とする椅子。
【請求項２】
前記回転軸は前記背支桿の枠部材の取付孔に挿入された状態で前記枠部材に一体化されたものであり、前記回転軸の前記取付孔への取付部分と前記取付孔との各断面形状は、前記回転軸が前記枠部材に対して回転不能になる形状であることを特徴とする請求項１記載の椅子。
【請求項３】
前記背支桿を初期位置に復帰させるように付勢する反力付与機構と、前記座受部材に形成されると共に前記反力付与機構の支持軸を着脱可能な反力付与機構収容部を備え、前記反力付与機構収容部は上方に開口する縦溝からなることを特徴とする請求項１記載の椅子。
【請求項４】
前記背支桿収容部及び前記反力付与機構収容部に抑え部材を入れて前記回転軸および前記支持軸を保持することを特徴とする請求項３記載の椅子。
【発明の詳細な説明】
【０００１】
【発明の属する技術分野】
本発明は、座受部材に対して傾動可能に支持された背支桿を備えた椅子に関する。さらに詳しくは、本発明は背支桿の構造に関する。
【０００２】
【従来の技術】
図１０に示すように、座受部材１００と、該座受部材１００に対して揺動可能に支持される背支桿１０１と、背支桿１０１を初期位置に復帰させるよう付勢するガススプリング１０２とを備えた椅子１０３が普及している。この種の椅子１０３では、背支桿１０１が座受部材１００の左右に別個に設けられることがある。各背支桿１０１の前端部は、座受部材１００に回転軸１０４により回転可能に支持されている。各背支桿１０１を座受部材１００に組み付けるときは、回転軸１０４を背支桿１０１の側方から挿入して、座受部材１００と背支桿１０１，１０１とを貫通させる。そして、回転軸１０４の抜け止めを図るために、回転軸１０４の両端部にＥリング等を装着する。
【０００３】
【発明が解決しようとする課題】
しかしながら、上述した背支桿１０１の組み付け構造では、左右の背支桿１０１，１０１が別個の部材であるので、各背支桿１０１，１０１同士の剛性が低い。このため、着座者が背凭れに斜めに荷重を掛けたりして背支桿１０１に捻れ力が作用したときに、背支桿１０１が捩れてしまうおそれがある。
【０００４】
また、椅子の組立時に背支桿１０１と回転軸１０４とが別部材であるので、座受部材１００および背支桿１０１の側方から回転軸１０４を挿入してＥリング等で止めつけるという煩雑な組立作業を要してしまう。しかも、Ｅリングによる止め付けに限らず回転軸１０４を取り外す分解作業は困難であるので、一般家庭などでは椅子１０３の分解作業は不可能に近い。よって、椅子１０３の廃棄時の分別作業の妨げになってしまう。
【０００５】
そこで、本発明は背支桿の捻れを防止すると共に組立性や分解性を高めることができる椅子を提供することを目的とする。
【０００６】
【課題を解決するための手段】
かかる目的を達成するため、請求項１記載の発明は、座受部材に対して傾動可能に支持された背支桿を備えた椅子において、前記座受部材に形成されると共に前記背支桿の回転軸を着脱可能な背支桿収容部と、前記回転軸を前記背支桿収容部に収容したまま保持するカバーとを備え、背支桿は椅子に組み付ける前に枠状に一体化されたものであり且つ前記回転軸を枠の一部として成るものであり、前記背支桿収容部は上方に開口する縦溝からなるようにしている。
【０００７】
したがって、背支桿がトラス構造になることから、従来のように１本の単なる棒状の背支桿を使用する場合や左右別々の２本の背支桿を利用する場合に比べて、背支桿の特に捻れに対する剛性を高めることができる。このため、例えば着座者が背凭れに対して斜めに荷重を掛けたときでも、背支桿が捩れてしまうことを抑制できる。
【０００８】
また、背支桿は該背支桿の回転軸を枠の一部として成るようにしているので、従来のように背支桿とその回転軸とが一体化されていない場合に比べて、背支桿の揺動時の捻れ力に対する剛性を高めることができる。
【０００９】
さらに、座受部材に形成されると共に背支桿の回転軸を着脱可能な背支桿収容部と、回転軸を背支桿収容部に収容したまま保持するカバーとを備えるようにしているので、従来のように座受部材と背支桿とに側方から回転軸を貫通させる作業が不要に成るので、椅子の組立作業を簡易化することができる。また、カバーを取り外すことにより座受部材から背支桿を取り外すことができるので、椅子の分解作業も簡易化することができる。
【００１１】
また、請求項２記載の発明は、請求項１記載の椅子において、回転軸は背支桿の枠部材の取付孔に挿入された状態で枠部材に一体化されたものであり、回転軸の取付孔への取付部分と取付孔との各断面形状は、回転軸が枠部材に対して回転不能になる形状であるようにしている。
【００１２】
したがって、回転軸と枠部材との一体化が万一外れたとしても、回転軸は枠部材に対して回転しないので背凭れの不測の動作を防止できる。
また、請求項３記載の発明は、請求項１記載の椅子において、背支桿を初期位置に復帰させるように付勢する反力付与機構と、座受部材に形成されると共に反力付与機構の支持軸を着脱可能な反力付与機構収容部を備え、反力付与機構収容部は上方に開口する縦溝からなるようにしている。
また、請求項４記載の発明は、請求項３記載の椅子において、背支桿収容部及び反力付与機構収容部に抑え部材を入れて回転軸および支持軸を保持するようにしている。
【００１３】
【発明の実施の形態】
以下、本発明の構成を図面に示す一実施の形態に基づいて詳細に説明する。図１〜図７に本発明の椅子１の実施形態の一例を示す。この椅子１は、図２〜図７に示すように座受部材２に対して傾動可能に支持された背支桿４を備えたものである。ここで、この椅子１は、座受部材２と、該座受部材２に前部が回転可能に支持される座３と、座受部材２に対して回転可能に支持される背支桿４と、背支桿４を初期位置に復帰させるよう付勢する反力付与機構５，６とを備えるものとしている。反力付与機構５，６としては、座受部材２の後部に設置された第１の反力付与機構５と、座受部材２の前部に設置された第２の反力付与機構６とを備えている。
【００１４】
そして、背支桿４は、図１に示すように椅子１に組み付ける前に枠状に一体化されたものとしている。このため、１本の単なる棒状の背支桿４を使用する場合や左右別々の２本の背支桿４により背凭れを支持する場合に比べて、背支桿４の特に捻れに対する剛性を高めることができる。よって、例えば着座者が背凭れに対して斜めに荷重を掛けたときでも、背支桿４が捩れてしまうことを抑制できる。
【００１５】
また、この背支桿４は該背支桿４の回転軸７を枠の一部としている。このため、背支桿４の枠部材２６と回転軸７とが一体化されていない場合に比べて、背支桿４の捻れ力に対する剛性を高めることができる。枠部材２６と回転軸７とは溶接により一体化されている。
【００１６】
そして、背支桿４は、左右に設けられた側枠部２６と、側枠部２６の前端部のを連結する回転軸７と、側枠部２６の後端部を連結するよう一体化された後枠部２７とを備えている。回転軸７は、背支桿４の枠部材２６の取付孔２９に挿入された状態で枠部材２６に一体化されている。しかも、図８に示すように、回転軸７の取付孔２９への取付部分３１と取付孔２９との各断面形状は、回転軸７が枠部材２６に対して回転不能になる形状であるようにしている。このため、回転軸７と枠部材２６との溶接が万一外れたとしても、回転軸７は枠部材２６に対して回転しないので背凭れの不測の動作を防止できる。
【００１７】
また、背支桿４は回転軸７に一体化された前側に突出する反力受け部２８を備えている。この反力受け部２８は第２の反力付与機構６からの反力を受ける。回転軸７は、反力受け部２８の取付孔３０に挿入された状態で反力受け部２８に溶接により一体化されている。
【００１８】
本実施形態では、回転軸７の各取付孔２９，３０への取付部分は、図８に示すように平たく潰されて外周面から突出した平部３１とされている。また、各取付孔２９，３０は、真円部２９ａ，３０ａと、該真円部２９ａ，３０ａから互いに反対方向に外周側に突出する２つの回り止め部２９ｂ，３０ｂとを備えている。そして、回転軸７の平部３１の両側端が取付孔２９，３０の回り止め部２９ｂ，３０ｂに収容されて、回転が防止されるようにしている。このため、回転軸７と側枠部２６の溶接、あるいは回転軸７と反力受け部２８の溶接が万一外れたとしても、反力受け部２８と側枠部２６とが空転してしまうことが無いので、第２の反力付与機構６からの反力が常に反力受け部２８から背支桿４の全体に伝達される。
【００１９】
また、この椅子１では、座受部材２に形成されると共に背支桿４の回転軸７を着脱可能な背支桿収容部４３と、回転軸７を背支桿収容部４３に収容したまま保持するカバー４５とを備えている。このため、椅子１の組立時に座受部材２と背支桿４とに側方から回転軸７を貫通させて止め付ける作業が不要に成るので、椅子１の組立作業を簡易化することができる。また、カバー４５を取り外すことにより座受部材２から背支桿４を取り外すことができるので、椅子１の分解作業も簡易化することができる。
【００２０】
この座受部材２は、図９に示すように脚４１に固定された本体部４２と、該本体部４２に形成されると共に背支桿４の回転軸７を着脱可能な背支桿収容部４３と、本体部４２に形成されると共に第１の反力付与機構５の支持軸８を着脱可能な反力付与機構収容部４６と、回転軸７を背支桿収容部４３に保持すると共に支持軸８を反力付与機構収容部４６に保持するプラスチック製の抑え部材４４と、該抑え部材４４により回転軸７および支持軸８を保持したまま本体部４２に被せられるカバー４５とを備えている。背支桿収容部４３および反力付与機構収容部４６は、本体部４２に形成された上方に開口する縦溝から成る。
【００２１】
この座受部材２を組み立てるときは、本体部４２の背支桿収容部４３に背支桿４の回転軸７を挿入し、反力付与機構収容部４６に第１の反力付与機構５の支持軸８を挿入する。そして、各収容部４３，４６に抑え部材４４を入れて回転軸７および支持軸８を保持して、更にカバー４５を被せて本体部４２にボルト４７でねじ止めする。このため、従来のように座受部材２と背支桿４とに側方から回転軸７や支持軸８を貫通させる作業が不要に成るので、椅子１の組立作業を簡易化することができる。また、ボルト４７を取り外してカバー４５を取り去ることにより座受部材２から背支桿４および第１の反力付与機構５を取り外すことができるので、椅子１の分解作業も簡易化することができる。しかも、図６に示すようにボルト４７の頭が露出しているので、一般の使用者がそれを見たときにボルト４７を外せば分解可能であると容易に判断できる。よって、椅子１の廃棄時に一般の使用者に自分で分解する気を起こさせて分解促進を図ることができる。
【００２２】
また、座受部材２は、脚４１の上部に設けられた昇降ガススプリング４８の上端部に固定されている。座受部材２の本体部４２は、脚４１の上部に嵌合して座３を支持するためのガススプリング支持部４９を有している。
【００２３】
この昇降ガススプリング４８は、図４および図５に示すように先端に突出する操作ピン５０を傾斜させることにより全長が伸縮可能になるものを使用している。そして、この昇降ガススプリング４８を操作するための操作機構５１が設けられている。この操作機構５１は、操作ピン５０に被せられるキャップ部材５２と、該キャップ部材５２に連結されると共にキャップ部材５２を操作ピン５０の傾斜方向に引いて操作ピン５０を傾斜させるワイヤ５３とを備えている。このため、ワイヤ５３が連結されたキャップ部材５２を操作ピン５０に嵌め付けるだけで昇降ガススプリング４８の操作機構５１を形成することができる。よって、従来のように昇降ガススプリング４８のプッシュロッドを押し込むための操作アームを設ける必要が無く操作機構５１の椅子１への組み付け作業を簡易化することができる。そして、ワイヤ５３の先端には、該ワイヤ５３を引っ張るための昇降操作レバー（図示せず）が取り付けられている。
【００２４】
昇降操作レバーを操作してワイヤ５３を引っ張ると操作ピン５０が倒されるこれにより、昇降ガススプリング４８の長さが可変になって、座３を昇降することができる。また、昇降操作レバーを解放してワイヤ５３を引いていないときは、操作ピン５０が復起して昇降ガススプリング４８の長さを固定することができるので、座３の高さを固定することができる。
【００２５】
一方、この椅子１では、座３の後部が第１の反力付与機構５に直接取り付けられて支持されるようにしている。したがって、従来のように座３の後部を背支桿４に直接支持させていた場合と同等の座３及び背凭れの傾動比を実現しながらも、座３の後部の支持位置を座３の後端部にまでずらすことができる。このため、座３の前後の支持点の間隔を十分に大きく採ることができるようになるので、座３と座受部材２との間の空間Ｓを十分に確保することができる。よって、可撓性の大きな座３を使用しても、座３が座受部材２に当たってしまうことを防止できる。しかも、座３と背凭れとが直接は連結されていないので、使用者が勢い良く着座したときに背凭れが一旦後傾してしまうことを抑制できる。このため、従来の座３と背支桿４が直接連結された椅子１のように背凭れが着座者の背中を叩くことを防止できる。
【００２６】
背支桿４は、座受部材２の中央部付近に回転軸７により揺動可能に支持されている。第１の反力付与機構５は、前端が座受部材２の後端部に支持軸８により回転可能に支持されると共に、後端が背支桿４の一部に取付軸９により回転可能に取り付けられている。このため、これら座受部材２と背支桿４と第１の反力付与機構５とにより連鎖機構が形成されている。そして、第１の反力付与機構５の長さを変更することにより、背支桿４を傾動させて背凭れを傾動できると同時に、第１の反力付与機構５を傾動させて座３を傾動できる。
【００２７】
そして、第１の反力付与機構５の反力源としてはガススプリング１０を使用している。また、図２に示すように、ガススプリング１０を最も伸ばしたときに、背支桿４が初期位置に位置するように設定する。さらに、図３に示すように、ガススプリング１０を最も縮めたときに、背支桿４が最も傾斜した状態になるように設定する。このため、ガススプリング１０により背支桿４を初期位置と最大傾斜位置とに各々位置決めできるので、背支桿４の揺動範囲を規制するストッパを形成する必要が無く、構造の複雑化を防止できる。
【００２８】
このガススプリング１０は、図４及び図５に示すようにロッド１１の周囲からの作動オイル漏れを防止する二重のオイルシール１２，１３を備えたものとしている。このため、着座者が背凭れに対して斜めに荷重を掛けてガススプリング１０のロッド１１に大きな捻れ力が作用した場合でも、オイルシール１２，１３とロッド１１との隙間から作動オイルが漏れ出すことを抑制できる。また、特にこの椅子１では第１の反力付与機構５に伸縮方向以外から大きな荷重が作用するので、ロッド１１の周囲から作動オイルが漏れ易くなる。しかしながら、二重のオイルシール１２，１３を備えているので、この漏れを効果的に防止することができる。
【００２９】
このガススプリング１０は、内ケーシング５４および外ケーシング５５を備えたいわゆる複筒式と呼ばれるものである。そして、内ケーシング５４とロッド１１との間には内側のオイルシール１２が設けられると共に、外ケーシング５５とロッド１１との間には外側のオイルシール１３が設けられている。
【００３０】
さらに、このガススプリング１０は伸縮をロック可能なロック機能を有するものとしている。このため、背凭れおよび座３を任意の傾斜角度で固定することができる。また、ここでのロック機能は、ガススプリング１０のロッド１１の中央に設けられたプッシュロッド１４を押し込むことにより伸縮可能にすると共に、プッシュロッド１４を解放することによりロックされるものとしている。
【００３１】
この第１の反力付与機構５には、ガススプリング１０のプッシュロッド１４を押し込んだり解放したりする操作機構１５が設けられている。この操作機構１５は、ガススプリング１０のロッド１１の先端部に固定されると共に座受部材２の後端部に支持軸８により回転可能に支持された支持体１６と、該支持体１６に回転可能に設けられると共に回転によりガススプリング１０のプッシュロッド１４を押圧する操作アーム１７と、操作アーム１７に接続されたワイヤ１８及び該ワイヤ１８を摺動可能に収容するアウタケーシング１９とを有している。アウタケーシング１９は支持体１６に固定される。
【００３２】
そして、ワイヤ１８の他端を操作レバー（図示せず）により引っ張って操作アーム１７を回転させてプッシュロッド１４を押し込むことにより、ガススプリング１０が伸縮可能となり背支桿４および第１の反力付与機構５が傾動可能になる。よって、背支桿４に支持される背凭れと第１の反力付与機構５に支持される座３とがロッキング可能に成る。また、ワイヤ１８を緩めてプッシュロッド１４が飛び出すことによりガススプリング１０の長さが固定されると、座受部材２と背支桿４とガススプリング１０とが三角形の固定リンクを形成するので、背支桿４および第１の反力付与機構５がロックされる。よって、背凭れおよび座３が位置決めされる。
【００３３】
座３の前部は、座受部材２の前部に前支持部材２０を介して取り付けられている。この前支持部材２０は、座受部材２の前部に形成された座支持孔２１に前座支持軸２２によって前後動可能かつ揺動可能に支持されている。前座支持軸２２は前支持部材２０に対して圧入により固定されている。また、座３の後部は、第１の反力付与機構５に後支持部材２３を介して取り付けられている。この後支持部材２３は、第１の反力付与機構５に固定された取付部材２４に後支持軸２５によって揺動可能に支持されている。よって、第１の反力付与機構５の後傾に伴って座３の後部が沈みながら後方に引かれると、座３の前部が揺動しながら後方に摺動する。これにより、背凭れ及び座３が連動してロッキング動作を行うことができる。
【００３４】
座３は、プラスチック製の薄板状で可撓性を有するものとしている。このため、座３を一体成形により容易に形成することができると共に、高いクッション性を得ることができる。
【００３５】
座受部材２の前端部と反力受け部２８との間に設けられた第２の反力付与機構６は、圧縮コイルばね３２と、該圧縮コイルばね３２を座受部材２の前端部に回転可能に支持する前ばねマウント３３と、圧縮コイルばね３２を背支桿４に対して回転可能に支持する後ばねマウント３４とを備えている。前ばねマウント３３は座３の前部を支持する前座支持軸２２に取り付けられている。また、後ばねマウント３４は背支桿４の反力受け部２８に取り付けられている。
【００３６】
そして、この椅子１では、第２の反力付与機構６の後ばねマウント３４を案内すると共に反力受け部２８に形成された案内部３５と、後ばねマウント３４を案内部３５に案内させて変位させることにより第２の反力付与機構６の座受部材２側の取付位置を中心に第２の反力付与機構６を回転させて反力を調整する調整部３６とを備えている。
【００３７】
案内部３５は、背支桿４の回転中心である回転軸７からの放射線上に位置すると共に圧縮コイルばね３２にほぼ直交する直線状の長孔から成るものとしている。調整部３６は、案内部３５に沿うと共に反力受け部２８の取付孔４０に回転可能に取り付けられた調整ねじ３７と、該調整ねじ３７に螺合すると共に後ばねマウント３４が回転可能に取り付けられるスライダ３８と、調整ねじ３７を回転させるためのノブ３９とを備えている。
【００３８】
したがって、ノブ３９を回転させると、調整ねじ３７が回転してスライダ３８が案内部３５に沿って移動される。このため、スライダ３８に取り付けられた圧縮コイルばね３２の傾斜角度が変更される。このように調整部３６の操作により第２の反力付与機構６の傾斜角度を変更すると、背支桿４の傾動に対する第２の反力付与機構６の伸縮量が変化される。これにより、背支桿４をある一定角度傾斜させるときに、第２の反力付与機構６の長手方向が第２の反力付与機構６を伸縮する外力の方向と同一である場合は伸縮量が最大となって反力が最大となるが、第２の反力付与機構６が傾動するにつれて伸縮量が小さくなり反力は減少する。
【００３９】
ここで、本実施形態では案内部３５を直線状にしているので、スライダ３８を摺動させて第２の反力付与機構６の傾斜角度を変更したときに僅かに第２の反力付与機構６の長さが変更される。しかし、案内部３５は第２の反力付与機構６にほぼ直交して設けられているので、第２の反力付与機構６の傾斜に伴う長さの変化はごく僅かである。このため、調整部３６による調整時には第２の反力付与機構６は伸縮量を殆ど変えずに傾動されるので、背支桿４の反力調整をほぼ一定な軽い力で行うことができる。これにより、女性等の握力の弱い者であっても、反力調整の作業を容易に行うことができる。
【００４０】
また、第２の反力付与機構６の傾斜角度にかかわらず、初圧は殆ど無い。このため、反力を大きくしたときでもスムーズにロッキング動作を行うことができるようになるので、従来のように初圧を変化させる反力付与機構のようにロッキングを開始するために大きな荷重が必要なものに比べて快適なロッキング動作を行うことができる。
【００４１】
本実施形態では案内部３５を直線状に形成しているので、スライダ３８の調整ねじ３７による移動方向と案内部３５による案内方向とを一致させることができ、スライダ３８を可動部の無い簡易な構造のものにできる。本実施形態では案内部３５を直線状に形成しているが、これには限られず第２の反力付与機構６の回転中心を中心とする円弧形状にしても良い。この場合、調整ねじ３７による移動方向と案内部３５による案内方向とが一致しないので、スライダ３８を調整ねじ３７に螺合して摺動する部分と案内部３５により案内される部分とに分けて、これらの部分が互いにスライダ３８の移動方向に直交する方向のみに摺動可能なように係合させる。このように第２の反力付与機構６の回転中心を中心とする円弧形状の案内部３５を用いれば、第２の反力付与機構６の傾斜に伴う長さの変化は無いので背支桿４の反力調整を一定な軽い力で行うことができる。
【００４２】
上述した椅子１の動作を以下に説明する。
【００４３】
図２に示すように第１の反力付与機構５が最も伸びきっているときは、背凭れおよび座３が初期位置に位置している。第１の反力付与機構５の操作機構１５によりガススプリング１０のロックを外した状態で着座者が背凭れに体重を掛けると、図３に示すように第１の反力付与機構５および第２の反力付与機構６を圧縮しながら背支桿４が後傾される。第１の反力付与機構５の後傾により、座３も後傾される。これにより、背凭れと座３とが連動して２つの反力付与機構５，６の反力を受けながらロッキング動作を行うことができる。
【００４４】
このとき、着座者が背凭れに斜めに荷重を掛けても背支桿４が枠状で高い剛性を有しているので、背支桿４の捩れを防止することができる。
【００４５】
なお、上述の実施形態は本発明の好適な実施の一例ではあるがこれに限定されるものではなく本発明の要旨を逸脱しない範囲において種々変形実施可能である。例えば、本実施形態では、抑え部材４４を使用して回転軸７および支持軸８を抑えているが、これには限られずカバー４５により回転軸７および支持軸８を直接抑えるようにしても良い。
【００４６】
また、本実施形態では、回転軸７を背支桿４の一部として一体化しているが、これには限られず回転軸７は背支桿４とは別体であっても良い。この場合、図１に示す回転軸７の代わりに他の枠材を使用して左右の枠部材２６の前部同士を連結する。
【００４７】
そして、本実施形態では、枠部材２６と回転軸７とは溶接により一体化しているが、これには限られず接着や圧入による一体化でも良い。あるいは、これらを一体化しなくても良い。溶接等により一体化しなくても回転軸７と枠部材２６とは形状により機械的に回り止めされるので、第２の反力付与機構６からの反力が常に反力受け部２８から背支桿４の全体に伝達される。
【００４８】
また、本実施形態では、カバー４５を本体部４２に対してボルト４７でねじ止めして固定しているが、これには限られず係止爪を有する止めピンにより固定するようにしても良い。この場合も止めピンを外すだけで容易に椅子を分解することができる。あるいは、カバー４５に係止爪を形成して本体部４２に直接嵌め付けるようにしても良い。場合によっては、カバー４５を本体部４２に圧入や溶接によって固定するようにしても良い。このようにボルト４７や止めピン等の別部材を使用しなければ、部品点数を少なくできる。
【００４９】
さらに、本実施形態では、枠状の背支桿４をロッキング椅子に設けているが、これには限られず背凭れが固定された椅子の背支桿４として使用しても良い。この場合も、着座者が背凭れに斜めに荷重を掛けても、背支桿４が高い剛性で受けることができる。また、椅子１の種類は特に限定されず、事務用回転椅子や学習用ホームチェアなどの各種のものにすることができる。
【００５０】
そして、本実施形態では、回転軸７の取付部分が平たく潰されて外周面から突出した平部３１であると共に、取付孔２９は真円部２９ａと、該真円部２９ａから互いに反対方向に外周側に突出する２つの回り止め部２９ｂとを備えたものとしているが、これには限られない。例えば、回転軸７の取付部分と取付孔２９との各断面形状を矩形や楕円形や多角形などにして、回転軸７の回り止めを図るようにしても良い。
【００５１】
【発明の効果】
以上の説明より明らかなように、請求項１記載の椅子によれば、背支桿は椅子に組み付ける前に枠状に一体化されたものであるので、背支桿がトラス構造になることから、従来のように１本の単なる棒状の背支桿を使用する場合や左右別々の２本の背支桿を利用する場合に比べて、背支桿の特に捻れに対する剛性を高めることができる。このため、例えば着座者が背凭れに対して斜めに荷重を掛けたときでも、背支桿が捩れてしまうことを抑制できる。
【００５２】
また、請求項１記載の椅子によれば、背支桿は該背支桿の回転軸を枠の一部として成るようにしているので、従来のように背支桿とその回転軸とが一体化されていない場合に比べて、背支桿の揺動時の捻れ力に対する剛性を高めることができる。
【００５３】
さらに、請求項１記載の椅子によれば、座受部材に形成されると共に背支桿の回転軸を着脱可能な背支桿収容部と回転軸を背支桿収容部に収容したまま保持するカバーとを備えているので、従来のように座受部材と背支桿とに側方から回転軸を貫通させる作業が不要に成るので、椅子の組立作業を簡易化することができる。また、カバーを取り外すことにより座受部材から背支桿を取り外すことができるので、椅子の分解作業も簡易化することができる。
【００５４】
また、請求項２記載の椅子によれば、回転軸が枠部材に対して回転不能になるので、回転軸と枠部材との一体化が万一外れたとしても、回転軸は枠部材に対して回転しないので背凭れの不測の動作を防止できる。
また、請求項３記載の椅子のように、背支桿を初期位置に復帰させるように付勢する反力付与機構と、座受部材に形成されると共に反力付与機構の支持軸を着脱可能な反力付与機構収容部を備え、反力付与機構収容部は上方に開口する縦溝からなるようにしても良い。
さらに、請求項４記載の椅子のように、背支桿収容部及び反力付与機構収容部に抑え部材を入れて回転軸および支持軸を保持するようにしても良い。
【図面の簡単な説明】
【図１】本発明に係る椅子の背支桿を示す斜視図である。
【図２】座が初期位置にある椅子を示す側面図である。
【図３】座の最大傾斜時の椅子を示す側面図である。
【図４】座が初期位置にある椅子を示す中央縦断面側面図である。
【図５】座の最大傾斜時の椅子を示す中央縦断面側面図である。
【図６】座を取り外した椅子を示す平面図である。
【図７】座およびカバーを取り外した椅子を示す平面図である。
【図８】回転軸を示す斜視図である。
【図９】座受部材の分解組立図である。
【図１０】従来の椅子を示す概略の斜視図である。
【符号の説明】
１  椅子
２  座受部材
４  背支桿
７  回転軸
２６  枠部材
２９  取付孔
４３  収容部
４５  カバー
【図１】
0004638623.tif 000002
【図２】
0004638623.tif 000003
【図３】
0004638623.tif 000004
【図４】
0004638623.tif 000005
【図５】
0004638623.tif 000006
【図６】
0004638623.tif 000007
【図７】
0004638623.tif 000008
【図８】
0004638623.tif 000009
【図９】
0004638623.tif 000010
【図１０】
0004638623.tif 000011